【事件の表示】
　商願２００７−　１６７６８拒絶査定不服審判事件について、次のとおり審決する。
【結　論】
　本件審判の請求は、成り立たない。
【理　由】
第１　本願商標
　本願商標は、「ＵＳＥＤ　ＰＡＲＴＳ　ＪＡＰＡＮ」の欧文字を標準文字で表してなり、第１２類に属する願書記載のとおりの商品を指定商品として、平成１９年２月２７日に登録出願されたものであるが、その指定商品については、当審における同２０年１０月３日受付の手続補正書により、第１２類「中古自動車並びにその部品及び附属品，中古二輪自動車・中古自転車並びにそれらの部品及び附属品」と補正されたものである。
　
第２　原査定の拒絶の理由の要点
　原査定は、「本願商標は、『日本製の中古パーツ』程の意味合いを看取させる『ＵＳＥＤ　ＰＡＲＴＳ　ＪＡＰＡＮ』の欧文字を普通に書してなるものであるから、これを本願指定商品中、例えば『日本製の中古自動車及び自動車並びにその部品及び附属品，中古二輪自動車・中古自転車及び二輪自動車・自転車並びにそれらの部品及び附属品』等に使用するときは、単に商品の品質を表示するにすぎないものと認める。したがって、本願商標は、商標法第３条第１項第３号に該当し、前記商品以外の商品に使用するときは、商品の品質の誤認を生じさせるおそれがあるので、同法第４条第１項第１６号に該当する。」旨認定、判断し、本願を拒絶したものである。
　
第３　当審における証拠調べ通知（要旨）
　当審において、本願商標が商標法第３条第１項第３号及び同法第４条第１項第１６号に該当するか否かについて、職権に基づく証拠調べをした結果、下記の事実を発見したので、同法第５６条第１項で準用する特許法第１５０条第５項の規定に基づき、請求人に対して、平成２１年５月２９日付けで、証拠調べの結果を通知し、相当の期間を指定して、意見を述べる機会を与えた。
　　　　　　　　　　　　　　　　　記
１　「ＵＳＥＤ」の文字について 
 　辞典における記載について 
（１）「ｕｓｅｄ」の項に、「２　使用〔利用〕された（このとのある）；使い古した；お古の、中古品の：ａ〜ｓｔａｍｐ　使用済み切手／ａ〜ｃａｒ中古車／〜ｃｌｏｔｈｉｎｇ　古着」との記載がある（「小学館ランダムハウス英和大辞典」第２版１９９９年１月１０日発行　株式会社小学館）。
（２）「ｕｓｅｄ」の項に、「使い古した，汚れた：〜ｂｏｏｋｓ　古本／〜ｓｔａｍｐｓ　使用済み切手／〜ｃａｒｓ中古車／ａ〜ｈａｎｄｋｅｒｃｈｉｅｆ〔ｇｌａｓｓ〕汚れたハンカチ〔コップ〕」との記載がある（「研究社　新英和大辞典」第６版２００２年３月発行　株式会社研究社）。 
２　「ＰＡＲＴＳ」の文字について 
 　辞典における記載について 
（１）「ｐａｒｔ」の項に、「４（１）（機械・器具の）部品，パーツ：ａｕｔｏ〜ｓ　自動車部品」との記載がある（前掲「小学館ランダムハウス英和大辞典」）。 
（２）「ｐａｒｔ」の項に、「４（機械・器具の）一部分，部分品；予備部分品（ｓｐａｒｅ　ｐａｒｔ）：ａｕｔｏｍｏｂｉｌｅ〜ｓ　自動車部品」との記載がある（前掲「研究社　新英和大辞典」）。 
３　「ＵＳＥＤ　ＰＡＲＴＳ」の文字について 
 　インターネットのホームページにおける記載について（平成２１年５月１９日検索） 
（１）「カーランド」のＷｅｂページにおいて、「ＵＳＥＤ　ＰＡＲＴＳ」の見出しのもと、「中古パーツ在庫リスト」の項に、「このコーナーでは、当店の“中古パーツ”の在庫の一部をご覧いただくことができます。全商品中古品となりますので、それぞれの状態が異なり、写真・文章だけでお伝えすることが非常に困難となります。商品につきましては、できる限りご来店のうえ、お客様の目でご確認いただくことをおすすめいたします。」との記載がある。 
 (http://www.carland86.com/u_parts/) 
（２）「ＳＰＩＲＡＬ　ＡＵＴＯ」のＷｅｂページにおいて、「トップ  商品一覧 中古品／ＵＳＥＤ　ＰＡＲＴＳ」の見出しものと、「■ナカミチ■ＭＤ−９５Ｚ■６連奏ＣＤ＆ＭＤレシーバー■価格 \80,000(税込)中古品」との記載がある。 
(http://shop.yumetenpo.jp/goods/goodsList.jsp?st=spiral-auto.comcategory=6action=category) 
（３）「ＰＲＯＳＨＯＰ　ＳＣＲＥＥＮ」のＷｅｂページにおいて、「ＵＳＥＤ　ＰＡＲＴＳ　中古パーツ」の見出しのもと、商品の写真とともに「・ＡＰＥＸ　ＡＸ７５Ｆ８２　タービン　￥１００，０００」との記載がある。 
 (http://www.screen-powers.net/used/usedparts_index.html) 
（４）「ＨＡＮＳＨＩＮ　ＭＹ　ＣＡＲ　ＬＡＮＤ」のＷｅｂサイトにおいて、「ＵＳＥＤ　ＰＡＲＴＳ」の見出しのもと、「各種中古パーツ・Ｗ１２４パーツも大放出！！　取り揃え豊富！！　パーツヤードで厳重管理・迅速対応！！」の項に、「自社にてベテラン整備士が解体・部品取りを行い、パーツヤードにて管理しています。程度の良いものを厳選し、皆様方に安くご提供させて頂いております。ただいま、人気のＷ１２４関連の中古パーツを豊富に取り扱っております。」との記載がある。
(http://www.h-mycar.co.jp/parts9.html) 
（５）「ＫＴＭ」のＷｅｂサイトにおいて、「ＵＳＥＤ　ＰＡＲＴＳ」の見出しのもと、商品の写真とともに「ＷHEEL SET　【 2.15×18　/　1.6×21】 EXCEL WHEELS」の項に、「.SOLD OUT 　ありがとうございました。中古品の為、傷　汚れがあります。リアスプロケット-Ｚ48　/　リアブレーキディスクが付いているホイールセットです。スペアーホイールに如何でしょうか？　適用車種：　03〜09　SX・EXC/EXC-R /EXC-F」との記載がある。 
 (http://www.ktm-saitama.com/used_bike/used_parts.htm) 
（６）「ＳＡＳ　ＭＯＴＯＲＳＰＯＲＴ」のＷｅｂサイトにおいて、「ＵＳＥＤ　ＰＡＲＴＳ」の見出しのもと、商品の写真とともに「ＦＥＲＲＡＲＩ　ＵＳＥＤ　ＰＡＲＴＳ　ＴＵＢＩ　ＳＴＹＬＥ　ステンレスマフラー（中古品）ＤＩＡＢＬＯ用　￥１５０，０００」との記載がある。 
 (http://www.sasmotor.com/index.php?pg=parts_listcate_big_id=14) 
（７）「Ｊ−ＡＵＴＯ」のＷｅｂサイトにおいて、「ユーズドパーツ／／ＵＳＥＤ　ＰＡＲＴＳ」の見出しのもと、商品の写真とともに「W124に！W203純正5本スポークアルミ・タイヤ一台分セット [2009年5月8日]」の項に、「W203純正5本スポークのアルミホイールとPIRELLI P6000の4本セット、中古美品一台分です。安心の純正クオリティで貴方の愛車に『ちょいインチアップ』はいかがですか？ホイールサイズは前後7.0J-…」との記載がある。 
(http://www.jauto.co.jp/defaultService.asp?cIdx=4955cTitle=USED+PARTS) 
（８）「ＷＡＲＡＳＨＩＮＡ　ｃａｒｓ」のＷｅｂサイトにおいて、「◆ホットニュース◆」の見出しのもと、「★★ＵＳＥＤパーツ　販売中★★」の項に、「ＭＩＮＩの小物から大物まで中古パーツが満載！随時更新中！ 」との記載がある。 
 (http://www.warashinacars.co.jp/news/news.html) 
 （９）「株式会社タイヨー自動車」のＷｅｂサイトにおいて、「中古部品」の見出しのもと、「ＵＳＥＤ　ＰＡＲＴＳ」及び「中古部品を販売するまでの検査・管理をご紹介しています。数々の検査をクリアした中古部品を販売しております。 」との記載がある。(http://www.taiyo-parts.com/) 
 （１０）「ＴＥＣＨＩＣＡＬ　ＭＡＴＥ」のＷｅｂサイトにおいて、「ユーズドパーツ　ＵＳＥＤ　ＰＡＲＴＳ」の見出しのもと、商品の写真とともに「【２１８５】レカロＳＲ＆９６４レール助手席用セット。」の項に、「レカロＳＲ＆９６４レール助手席用セット　９９３にも装着可能　￥４３，０００」との記載がある。 
 (http://www.technicalmate.co.jp/usedparts.html) 
（１１）「清水ホンダ販売株式会社」のＷｅｂサイトにおいて、「ＵＳＥＤ　ＰＡＲＴＳ」の見出しのもと、商品の写真とともに「ＮＯ．１　ホンダ純正　１５インチアルミ(FIT Sパッケージ標準モデル）１５×６JJ　ＰＣＤ１００　４穴　OF＋５３　 ４本　適応車種　フィット・シビック・モビリオ　モビリオスパイク・エアウエーブetc　３万円)との記載がある。 
 (http://www2.wbs.ne.jp/~souleyes/usedparts.html) 
４　「ＪＡＰＡＮ」の文字について 
（１）辞典における記載について 
　ア　「Ｊａｐａｎ」の項に、「日本（国）．−adj．（形容詞）＝Japanese」の記載があり、「Ｊａｐａｎｅｓｅ」の項に、「日本（人，語）の」との記載がある（前掲「小学館ランダムハウス英和大辞典」）。 
　イ　「Ｊａｐａｎ」の項に、「日本，−adj．（形容詞）日本の；日本産の；日本製の；〜ｃｈｉｎａ日本製陶器」との記載がある（前掲「研究社　新英和大辞典」）。 
（２）インターネットのホームページにおける記載について（平成２１年５月２２日検索） 
　ア　「ブリキのおもちゃ　昔の日本製のおもちゃ・人形」のＷｅｂサイトにおいて、「日本製おもちゃ・人形のページ１」の見出しのもと、「ＪＴ０６」の項に、「・１９３０−５０’ｓ　・セルロイドのカップル　花嫁・花婿　８ｃｍ　・花嫁は布のドレスを着ています。花婿のタキシードはペイントです。　背中にＪＡＰＡＮの刻印があります。おおむね良い状態です。」また、「ＪＴ０７」の項に、「１９５０−６０’ｓ　ネズミ　状態：EX 箱無し　ゼンマイ式　ブリキ製のおもちゃ　タイヤとしっぽはゴム　耳はビニール製　しっぽを除く長さ８．５ｃｍ　ねじを巻くと前に走ります。　ＪＡＰＡＮとマークされています。お尻にマイナーなサビのあとがある他は良い状態です。」との記載がある。(http://www2u.biglobe.ne.jp/~nuts/jpntoy.htm) 
　イ　「らしさ　Ａｎｔｉｑｕｅ」のＷｅｂサイトにおいて、「時代有り！　泣いている女の子の赤ちゃん　ソフビ人形　ＪＡＰＡＮ　手塗り　昭和レトロ【TO0918】」の見出しのもと、「【商品番号】TO0918」の項に、「【詳細】時代有り！　泣いている女の子の赤ちゃんのソフビ人形です。ＪＡＰＡＮ　手塗り　昭和レトロ」との記載があり、さらに、商品の写真には「ＪＡＰＡＮ」の文字が写っている。 
 (http://antique-rasisa.com/SHOP/TO0918.html) 
　ウ　「Ｃｚａｓ　ｋｏｔｙ」のＷｅｂサイトにおいて、「【レトロ・アンティーク雑貨】ブリキのおもちゃの双眼鏡　AS-0010」の見出しのもと、「ブリキのおもちゃの双眼鏡です。おもちゃながらもツマミを回すと多少ピントを合わせることができます。接眼レンズ（覗く方の部分）の方の目に当てる部分と、ピント調節のツマミが付いている支柱になる部分などは、プラスティック製です。ともにＪＡＰＡＮの刻印があります。ブルーグリーンの柄部分は紙製で擦り切れなどの傷みがあります。」との記載があり、さらに、商品の写真には「ＪＡＰＡＮ」の文字が写っている。 
 (http://czaskoty.jp/SHOP/AS-0010.html)
　
第４　証拠調べ通知に対する意見（要旨）
　請求人は、前記第３の「証拠調べ通知」に対して、平成２１年７月７日受付の意見書において、以下のように意見を述べた。
１　インターネットの各種検索サイトにおいて出願人（請求人）を紹介し、また、出願人（請求人）のホームページサイトへリンクを張るものは、すべて「ＵＳＥＤ　ＰＡＲＴＳ　ＪＡＰＡＮ」の文字一連であって、出願人（請求人）を表す識別標識として使用されていること、そして、２つ以上の単語が一体不可分に結合することによって一つの新しい造語として固有の観念や称呼を生ずる場合があることを考慮すれば、本願商標も「ＵＳＥＤ　ＰＡＲＴＳ　ＪＡＰＡＮ」全体である種の団体の名称として一つの商標を構成するものと評価されるべきである。 
２　証拠調べで示された各証拠は、何らかの商品に「ＵＳＥＤ」の文字が表記されているときは、それが中古品であることを意味し、その中古品が部品である場合には「ＵＳＥＤ　ＰＡＲＴＳ」の文字が使用されることがあること、また、商品に単独で「ＪＡＰＡＮ」の文字が刻印等されているときはそれが日本製であることを表する場合がある、といった各単語が別々に使用された場合の意味を示しているにすぎないのであって、「ＵＳＥＤ　ＰＡＲＴＳ　ＪＡＰＡＮ」という一連の文字列が「日本製の中古部品」を指称する文字列として使用されている証拠は何ら示されてはいないものであるから、本願商標が直ちに商品の品質を表示することにはならない。また、商品の品質を表示するものでない以上、品質の誤認も生じない。
３　したがって、本願商標は、商標法第３条第１項第３号及び同法第４条第１項第１６号に該当しない。
  
第５　当審の判断
１　商標法第３条第１項第３号及び同法第４条第１項第１６号について
　本願商標は、前記第１のとおり、「ＵＳＥＤ　ＰＡＲＴＳ　ＪＡＰＡＮ」の欧文字を標準文字で表してなるところ、これは、英単語の「ＵＳＥＤ」、「ＰＡＲＴＳ」及び「ＪＡＰＡＮ」の各文字間に１文字分の空白を設けて一連に表記したものと認められるものである。そして、その構成中、「ＵＳＥＤ」は、「使い古した、中古の」等の意味を有する形容詞であること、また、「ＰＡＲＴＳ」は、「部品、パーツ」等の意味を有する名詞であること、さらに、「ＪＡＰＡＮ」は、「日本、日本国」等の意味を有する名詞であって、それ自体単独（例えば、「ＭＡＤＥ　ＩＮ　（ＪＡＰＡＮ）」などが付かない。）でも商品の産地、販売地を表す英単語として普通に使用されているものであることは、それぞれ、一般に知られているといえるものであるから、本願商標に接する取引者、需要者は、「使い古した、中古の」等の意味を有する「ＵＳＥＤ」の形容詞が修飾する後続の英単語は、専ら、「部品、パーツ」等の意味を有する「ＰＡＲＴＳ」の名詞のみであると理解するのが通常であり、また、前記第３の３のとおり、「ＵＳＥＤ　ＰＡＲＴＳ」の文字部分は、「中古部品」ないし「中古パーツ」の意味合いで使用されている実情がある。
　そうすると、本願商標を構成する「ＵＳＥＤ」、「ＰＡＲＴＳ」及び「ＪＡＰＡＮ」の各文字のうち、「ＵＳＥＤ　ＰＡＲＴＳ」の部分は、「中古部品」程の意味合いでひとまとまりの語として認識され、残る「ＪＡＰＡＮ」の部分は、その「中古部品」が「日本製」であることを並記したものであると理解するのもごく自然な解釈といえるから、本願商標は、全体として「日本製の中古部品」程の意味合いを容易に理解、認識させるものというべきである。
　してみれば、本願商標は、これをその補正後の指定商品中「中古自動車の部品，中古二輪自動車の部品，中古自転車の部品」に使用しても、これに接する取引者、需要者は、それらの商品が「日本製の中古部品」であることを表すものとして、単に商品の品質、産地を表示したものと理解するにとどまり、自他商品の識別標識としては認識しないものというのが相当であり、また、本願商標を日本製の中古部品以外の商品に使用するときは、その商品の品質について誤認を生ずるおそれがあるといわなければならない。
　したがって、本願商標は、商標法第３条第１項第３号及び同法第４条第１項第１６号に該当するものである。
２　請求人の主張について
（１）請求人は、インターネットの各種検索サイトにおいて出願人（請求人）を紹介し、また、出願人（請求人）のホームページサイトへリンクを張るものは、すべて「ＵＳＥＤ　ＰＡＲＴＳ　ＪＡＰＡＮ」の文字一連であって、出願人（請求人）を表す識別標識として使用されていること、そして、２つ以上の単語が一体不可分に結合することによって一つの新しい造語として固有の観念や称呼を生ずる場合があることを考慮すれば、本願商標も「ＵＳＥＤ　ＰＡＲＴＳ　ＪＡＰＡＮ」全体である種の団体の名称として一つの商標を構成するものと評価されるべきである旨主張する。
　しかし、請求人の主張のとおり、仮に、本願商標が全体で特定の団体の名称として認識されることがあるとしても、常にそのようにしか認識されないとまではいい得ないし、また、そのことを認めるに足りる証拠の提出もない。本願商標は、前記１のとおり、商標全体から「日本製の中古部品」程の意味合いを容易に理解、認識させるものであるから、自他商品の識別標識とは認識されないものといわざるを得ない。
　したがって、請求人の上記主張は、採用することができない。
（２）請求人は、証拠調べで示された各証拠は、「ＵＳＥＤ　ＰＡＲＴＳ　ＪＡＰＡＮ」という一連の文字列が「日本製の中古部品」を指称する文字列として使用されている証拠は何ら示されてはいないものであるから、本願商標が直ちに商品の品質を表示することにはならず、また、商品の品質を表示するものでない以上、品質の誤認も生じない旨主張する。
　しかし、「商標法第３条第１項第３号は、取引者、需要者に指定商品の品質等を示すものとして認識され得る表示態様の商標につき、それ故に登録を受けることができないとしたものであって、該表示態様が、商品の品質を表すものとして必ず使用されるものであるとか、現実に使用されている等の事実は、同号の適用において必ずしも要求されないものと解すべきである」（平成１２年（行ケ）第７６号　東京高裁平成１２年９月４日　判決言渡）から、たとえ、「ＵＳＥＤ　ＰＡＲＴＳ　ＪＡＰＡＮ」の文字が、仮に、その指定商品を取り扱う業界において、商品の品質等を表示するものとして実際に使用されている事実が存在しなくとも、本願商標が商品の品質等を表示するものであると認定判断することの妨げにはならない。
　したがって、請求人の上記主張も、採用することができない。
（３）請求人は、過去の登録例及び審決例（甲第５号証ないし甲第１１号証）を挙げて本願商標も登録されるべきである旨も主張するが、それら過去の
登録例及び審決例は、指定商品（指定役務）の内容及び商標の具体的構成等において本願とは事案を異にするものであり、また、登録出願に係る商標が商標法第３条第１項第３号及び同法第４条第１項第１６号に該当するものであるか否かは、当該商標の構成態様と指定商品又は指定役務とに基づいて、個別具体的に判断されるべきものであるから、請求人の上記主張も、採用することができない。
３　むすび
　以上のとおりであるから、本願商標が商標法第３条第１項第３号及び同法第４条第１項第１６号に該当するとして本願を拒絶した原査定は、妥当であって、取り消すことはできない。
　よって、結論のとおり審決する。